(57)【要約】【課題】地域住民を含む所定の者にのみ火力環境調査データを自由に閲覧させることができる火力環境調査データ閲覧システムおよび火力環境調査データ閲覧方法を提供する。【解決手段】火力環境調査データ閲覧システム１の火力環境調査データ閲覧サーバ１０は、クライアント端末装置２０からの閲覧申請者情報に基づいて、無料閲覧条件を閲覧申請者が満たすか否かを調べ、閲覧申請者が無料閲覧条件を満たす場合には無料閲覧許可信号を生成する閲覧許可部１１と、無料閲覧許可信号とクライアント識別子とが閲覧許可部１１から入力されると、閲覧識別子を生成し、生成した閲覧識別子をクライアント端末装置２０に通信回線３０を介して送信する閲覧識別子送信部１２と、閲覧識別子をクライアント端末装置２０から受信すると、火力環境調査データをクライアント端末装置２０に通信回線３０を介して送信するデータ送信部１３とを備える。【選択図】図１
2007193583.tif 000002
【特許請求の範囲】
【請求項１】
火力環境調査データ閲覧サーバ（１０）と、
該火力環境調査データ閲覧サーバと通信回線（３０）を介して相互接続されたクライアント端末装置（２０）と、
を具備する火力環境調査データ閲覧システムであって、
前記火力環境調査データ閲覧サーバが、
前記クライアント端末装置からの閲覧申請者情報に基づいて、無料閲覧条件を閲覧申請者が満たすか否かを調べ、閲覧申請者が無料閲覧条件を満たす場合には無料閲覧許可信号を生成する閲覧許可部（１１）と、
無料閲覧許可信号とクライアント識別子とが前記閲覧許可部から入力されると、閲覧識別子を生成し、該生成した閲覧識別子を前記クライアント端末装置に前記通信回線を介して送信する閲覧識別子送信部（１２）と、
閲覧識別子を前記クライアント端末装置から受信すると、火力環境調査データを前記クライアント端末装置に前記通信回線を介して送信するデータ送信部（１３）とを備える、
ことを特徴とする、火力環境調査データ閲覧システム。
【請求項２】
前記閲覧許可部が、閲覧申請者が無料閲覧条件を満たさない場合には有料閲覧許可信号を生成し、
前記閲覧識別子送信部が、有料閲覧許可信号が前記閲覧許可部から入力されると、前記生成した閲覧識別子を有料閲覧許可信号と対応付け、
前記火力環境調査データ閲覧サーバが、閲覧識別子を前記クライアント端末装置から受信すると、受信した閲覧識別子が前記閲覧識別子送信部から入力された有料閲覧許可信号と対応付けられた閲覧識別子であるか否かを調べ、該受信した閲覧識別子が有料閲覧許可信号と対応付けられた閲覧識別子である場合には、前記閲覧許可部から入力されたクライアント識別子に基づいて、該クライアント識別子に該当する閲覧申請者に対する課金データを更新する課金部（１４）をさらに備える、
ことを特徴とする、請求項１記載の火力環境調査データ閲覧システム。
【請求項３】
無料閲覧と有料閲覧とを区別する識別子が前記閲覧識別子に付加されていることを特徴とする、請求項１または２記載の火力環境調査データ閲覧システム。
【請求項４】
前記データ送信部が、閲覧申請者が火力環境調査データの複製防止対策と、一定時間が経過すると前記クライアント端末装置に表示された火力環境調査データを消す対策とを火力環境調査データに施すことを特徴とする、請求項１乃至３いずれかに記載の火力環境調査データ閲覧システム。
【請求項５】
閲覧申請者のクライアント識別子および閲覧申請者情報をクライアント端末装置（２０）から通信回線（３０）を介して火力環境調査データ閲覧サーバ（１０）に送信するステップ（Ｓ１１；Ｓ２１）と、
前記火力環境調査データ閲覧サーバの閲覧許可部（１１）が、前記クライアント端末装置から受信した閲覧申請者情報に基づいて、無料閲覧条件を閲覧申請者が満たすか否かを調べて、その結果に応じて無料閲覧許可信号または有料閲覧許可信号を生成するステップ（Ｓ１２，Ｓ１３；Ｓ２２，Ｓ２３）と、
前記火力環境調査データ閲覧サーバの閲覧識別子送信部（１２）が、無料閲覧許可信号または有料閲覧許可信号が前記閲覧許可部から入力されると、閲覧識別子を生成して、該生成した閲覧識別子を前記通信回線を介して前記クライアント端末装置に送信するステップ（Ｓ１４；Ｓ２４）と、
閲覧識別子を前記クライアント端末装置から前記通信回線を介して前記火力環境調査データ閲覧サーバに送信するステップ（Ｓ１５，Ｓ２５）と、
前記火力環境調査データ閲覧サーバのデータ送信部（１３）が、閲覧識別子を受信すると、火力環境調査データを前記通信回線を介して前記クライアント端末装置に送信するステップ（Ｓ１６，Ｓ２６）と、
を具備することを特徴とする、火力環境調査データ閲覧方法。
【請求項６】
前記閲覧識別子送信部が、前記生成した閲覧識別子を有料閲覧許可信号と対応付けて前記火力環境調査データ閲覧サーバの課金部（１４）に出力するステップ（Ｓ２４）と、
前記課金部が、前記クライアント端末装置からの閲覧識別子を受信すると、該受信した閲覧識別子が前記閲覧識別子送信部から入力された有料閲覧許可信号と対応付けられた閲覧識別子であるか否かを調べ、該受信した閲覧識別子が有料閲覧許可信号と対応付けられた閲覧識別子である場合には、前記閲覧許可部から入力されたクライアント識別子に基づいて、閲覧申請者に対する課金データを更新するステップ（Ｓ２７，Ｓ２８）と、
をさらに具備することを特徴とする、請求項５記載の火力環境調査データ閲覧方法。
【請求項７】
無料閲覧と有料閲覧とを区別する識別子が前記閲覧識別子に付加されていることを特徴とする、請求項５または６記載の火力環境調査データ閲覧方法。
【請求項８】
前記データ送信部が、閲覧申請者が火力環境調査データの複製防止対策と、一定時間が経過すると前記クライアント端末装置に表示された火力環境調査データを消す対策とを火力環境調査データに施すことを特徴とする、請求項５乃至７いずれかに記載の火力環境調査データ閲覧方法。
【発明の詳細な説明】
【技術分野】
【０００１】
本発明は、火力環境調査データ閲覧システムおよび火力環境調査データ閲覧方法に関し、特に、地域住民を含む所定の者にのみ火力発電所に関する環境調査データを自由に閲覧させるのに好適な火力環境調査データ閲覧システムおよび火力環境調査データ閲覧方法に関する。
【背景技術】
【０００２】
電力事業者は、運用している火力発電所に関する環境調査（風向、風速および風配図などの気象に関する調査を含む。）を日常的にまたは所定の期間だけ行っており、このような環境調査のデータ（以下、「火力環境調査データ」と称する。）を一元的に電算処理して保存している。また、火力発電所近隣の住民（以下、「地域住民」と称する。）にとっては、酸性雨の原因となる窒素酸化物（ＮＯｘ）や硫黄酸化物（ＳＯｘ）などの環境汚染物質に関する火力環境調査データは、生活を営む上で重大な関心事であり、知得したい情報である。
【０００３】
なお、下記の特許文献１には、電力モニタや環境センサなどから得られた計測データをインターネットまたはイントラネット上のパソコンで容易に確認できるようにするために、所定の領域における電力使用量を計測する電力モニタと、この電力モニタで計測した電力データを定期的に取り込む工業用ネットワークコンピュータと、この工業用ネットワークコンピュータが接続されたインターネットまたはイントラネットと、このインターネットまたはイントラネット上に接続され、工業用ネットワークコンピュータが取り込んだ電力データを収集するサーバと、インターネットまたはイントラネット上に接続され、サーバで収集した電力データをブラウザにより表示するパソコンとを具備した環境監視システムが開示されている。
【特許文献１】特開２００１−２１５９３号公報
【発明の開示】
【発明が解決しようとする課題】
【０００４】
しかしながら、上述したような火力環境調査データは、不特定多数の者に公開する必要性は乏しく、地域住民を含む所定の者にのみ公開すれば十分である。また、このような火力環境調査データを収集するには、多大な設備が必要でありかつ人材も要するため、電力事業者は、地域住民を含む所定の者には火力環境調査データを無償で提供する必要があるが、不特定多数の者に火力環境調査データを無償で提供する必要はないので、誰でもが自由に火力環境調査データを閲覧できるようにする必要はない。
【０００５】
本発明の目的は、地域住民を含む所定の者にのみ火力環境調査データを自由に閲覧させることができる火力環境調査データ閲覧システムおよび火力環境調査データ閲覧方法を提供することにある。
【課題を解決するための手段】
【０００６】
本発明の火力環境調査データ閲覧システム（１）は、火力環境調査データ閲覧サーバ（１０）と、該火力環境調査データ閲覧サーバと通信回線（３０）を介して相互接続されたクライアント端末装置（２０）とを具備する火力環境調査データ閲覧システムであって、前記火力環境調査データ閲覧サーバが、前記クライアント端末装置からの閲覧申請者情報に基づいて、無料閲覧条件を閲覧申請者が満たすか否かを調べ、閲覧申請者が無料閲覧条件を満たす場合には無料閲覧許可信号を生成する閲覧許可部（１１）と、無料閲覧許可信号とクライアント識別子とが前記閲覧許可部から入力されると、閲覧識別子を生成し、該生成した閲覧識別子を前記クライアント端末装置に前記通信回線を介して送信する閲覧識別子送信部（１２）と、閲覧識別子を前記クライアント端末装置から受信すると、火力環境調査データを前記クライアント端末装置に前記通信回線を介して送信するデータ送信部（１３）とを備えることを特徴とする。
ここで、前記閲覧許可部が、閲覧申請者が無料閲覧条件を満たさない場合には有料閲覧許可信号を生成し、前記閲覧識別子送信部が、有料閲覧許可信号が前記閲覧許可部から入力されると、前記生成した閲覧識別子を有料閲覧許可信号と対応付け、前記火力環境調査データ閲覧サーバが、閲覧識別子を前記クライアント端末装置から受信すると、受信した閲覧識別子が前記閲覧識別子送信部から入力された有料閲覧許可信号と対応付けられた閲覧識別子であるか否かを調べ、該受信した閲覧識別子が有料閲覧許可信号と対応付けられた閲覧識別子である場合には、前記閲覧許可部から入力されたクライアント識別子に基づいて、該クライアント識別子に該当する閲覧申請者に対する課金データを更新する課金部（１４）をさらに備えてもよい。
無料閲覧と有料閲覧とを区別する識別子が前記閲覧識別子に付加されていてもよい。
前記データ送信部が、閲覧申請者が火力環境調査データの複製防止対策と、一定時間が経過すると前記クライアント端末装置に表示された火力環境調査データを消す対策とを火力環境調査データに施してもよい。
【０００７】
本発明の火力環境調査データ閲覧方法は、閲覧申請者のクライアント識別子および閲覧申請者情報をクライアント端末装置（２０）から通信回線（３０）を介して火力環境調査データ閲覧サーバ（１０）に送信するステップ（Ｓ１１；Ｓ２１）と、前記火力環境調査データ閲覧サーバの閲覧許可部（１１）が、前記クライアント端末装置から受信した閲覧申請者情報に基づいて、無料閲覧条件を閲覧申請者が満たすか否かを調べて、その結果に応じて無料閲覧許可信号または有料閲覧許可信号を生成するステップ（Ｓ１２，Ｓ１３；Ｓ２２，Ｓ２３）と、前記火力環境調査データ閲覧サーバの閲覧識別子送信部（１２）が、無料閲覧許可信号または有料閲覧許可信号が前記閲覧許可部から入力されると、閲覧識別子を生成して、該生成した閲覧識別子を前記通信回線を介して前記クライアント端末装置に送信するステップ（Ｓ１４；Ｓ２４）と、閲覧識別子を前記クライアント端末装置から前記通信回線を介して前記火力環境調査データ閲覧サーバに送信するステップ（Ｓ１５，Ｓ２５）と、前記火力環境調査データ閲覧サーバのデータ送信部（１３）が、閲覧識別子を受信すると、火力環境調査データを前記通信回線を介して前記クライアント端末装置に送信するステップ（Ｓ１６，Ｓ２６）とを具備することを特徴とする。
ここで、前記閲覧識別子送信部が、前記生成した閲覧識別子を有料閲覧許可信号と対応付けて前記火力環境調査データ閲覧サーバの課金部（１４）に出力するステップ（Ｓ２４）と、前記課金部が、前記クライアント端末装置からの閲覧識別子を受信すると、該受信した閲覧識別子が前記閲覧識別子送信部から入力された有料閲覧許可信号と対応付けられた閲覧識別子であるか否かを調べ、該受信した閲覧識別子が有料閲覧許可信号と対応付けられた閲覧識別子である場合には、前記閲覧許可部から入力されたクライアント識別子に基づいて、閲覧申請者に対する課金データを更新するステップ（Ｓ２７，Ｓ２８）とをさらに具備してもよい。
無料閲覧と有料閲覧とを区別する識別子が前記閲覧識別子に付加されていてもよい。
前記データ送信部が、閲覧申請者が火力環境調査データの複製防止対策と、一定時間が経過すると前記クライアント端末装置に表示された火力環境調査データを消す対策とを火力環境調査データに施してもよい。
【発明の効果】
【０００８】
本発明の火力環境調査データ閲覧システムおよび火力環境調査データ閲覧方法は、以下に示す効果を奏する。
（１）火力環境調査データを所定の者にのみ自由に閲覧を許可することができるので、電力事業者の財産の一つである火力環境調査データ（情報）の無用放出を防止することができる。
（２）地域住民は火力環境調査データを自由に閲覧することができるので、電力事業者は地域住民に対する社会的義務を果たすことができる。
（３）地域住民を含む所定の者以外の者に対しては、火力環境調査データを有料で閲覧させることにより、電力事業者は収益を図ることができる。
【発明を実施するための最良の形態】
【０００９】
地域住民を含む所定の者にのみ火力発電所に関する環境調査データを自由に閲覧させるという目的を、火力環境調査データ閲覧サーバが、閲覧申請者が無料閲覧条件を満たす場合には無料閲覧許可信号を生成するとともに閲覧識別子を生成したのち、この生成した閲覧識別子がクライアント端末装置から送信されてくると、火力環境調査データをクライアント端末装置に送信することにより実現した。
【実施例１】
【００１０】
以下、本発明の火力環境調査データ閲覧システムおよび火力環境調査データ閲覧方法の実施例について、図面を参照して説明する。
本発明の一実施例による火力環境調査データ閲覧システム１は、図１に示すように、電力事業者である電力会社に設けられた火力環境調査データ閲覧サーバ１０と、火力環境調査データ閲覧サーバ１０とインターネットなどの通信回線３０を介して相互接続されたクライアント端末装置２０とを具備する。
【００１１】
火力環境調査データ閲覧サーバ１０は、閲覧許可部１１と、閲覧識別子送信部（閲覧ＩＤ送信部）１２と、データ送信部１３と、課金部１４と、送受信部１５とを備える。
ここで、閲覧許可部１１は、クライアント番号などのクライアント識別子（クライアントＩＤ）と閲覧申請者情報（閲覧申請者の氏名、住所、職業および電話番号など）とをクライアント端末装置２０から送受信部１５を介して受信すると、閲覧条件データベース（閲覧条件ＤＢ）１６に格納されている無料閲覧条件データを読み出したのち、受信した閲覧申請者情報に基づいて、無料閲覧条件データによって表わされる無料閲覧条件（「地域住民であること」など）を閲覧申請者が満たすか否かを調べる。
【００１２】
その結果、閲覧申請者が無料閲覧条件を満たす場合には、閲覧許可部１１は、火力環境調査データを無料で閲覧することを許可する無料閲覧許可信号を生成して、生成した無料閲覧許可信号とクライアント識別子とを閲覧識別子送信部１２に出力する。
【００１３】
一方、閲覧申請者が無料閲覧条件を満たさない場合には、閲覧許可部１１は、火力環境調査データを有料で閲覧することを許可する有料閲覧許可信号を生成して、生成した有料閲覧許可信号とクライアント識別子とを閲覧識別子送信部１２および課金部１３に出力する。
【００１４】
閲覧識別子送信部１２は、無料閲覧許可信号または有料閲覧許可信号とクライアント識別子とが閲覧許可部１１から入力されると、閲覧識別子（閲覧ＩＤ）と閲覧識別子入力画面データとを生成して、生成した閲覧識別子および閲覧識別子入力画面データを送受信部１５に通信回線３０を介してクライアント識別子に対応する閲覧申請者のクライアント端末装置２０に送信させる。
また、閲覧識別子送信部１２は、有料閲覧許可信号が閲覧許可部１１から入力されると、生成した閲覧識別子を有料閲覧許可信号と対応付けて課金部１４に出力する。
【００１５】
ここで、閲覧識別子には、たとえば、無料閲覧用の閲覧識別子の先頭には英字の“Ｆ”を付加し、有料閲覧用の閲覧識別子の先頭には英字の“Ｃ”を付加するなどのように、無料閲覧と有料閲覧とを容易に区別することができる識別子を付加するようにしてもよい。
また、閲覧識別子送信部１２は、有料閲覧許可信号が閲覧許可部１１から入力された場合には、「有料である」旨と手数料とを表示した閲覧識別子入力画面データを生成してもよい。
さらに、閲覧識別子送信部１２は、閲覧識別子と閲覧識別子入力窓を記載した電子メールを生成して、生成した電子メールを送受信部１５に通信回線３０を介して閲覧申請者のクライアント端末装置２０に送信させてもよい。
【００１６】
データ送信部１３は、閲覧識別子をクライアント端末装置２０から送受信部１５を介して受信すると、火力環境調査データを火力環境調査データベース（火力環境調査ＤＢ）１７から読み出して、読み出した火力環境調査データを送受信部１５に通信回線３０を介して閲覧申請者のクライアント端末装置２０に送信させる。これにより、閲覧申請者のクライアント端末装置２０に火力環境調査データが表示されるので、閲覧申請者は火力環境調査データを閲覧することができる。
【００１７】
なお、データ送信部１３は、閲覧申請者が火力環境調査データをコピーまたはプリントアウトできないように複製防止対策を火力環境調査データに施すとともに、一定時間が経過するとクライアント端末装置２０に表示された火力環境調査データが消えるような対策を火力環境調査データに施す。
【００１８】
課金部１４は、閲覧識別子をクライアント端末装置２０から送受信部１５を介して受信すると、受信した閲覧識別子が閲覧識別子送信部１２から入力された有料閲覧許可信号と対応付けられた閲覧識別子であるか否かを調べ、そうである場合には、閲覧許可部１１から入力されたクライアント識別子に基づいて、課金データベース（課金ＤＢ）１８に格納されている課金テーブルを検索して、このクライアント識別子に該当する閲覧申請者に対する課金データを更新する。
【００１９】
次に、図１に示した火力環境調査データ閲覧システム１の動作（本発明の火力環境調査データ閲覧方法の一実施例）について説明する。
まず、地域住民である閲覧申請者Ａが火力環境調査データの閲覧を申請する場合について、図２に示すフローチャートを参照して説明する。
【００２０】
閲覧申請者Ａは、火力環境調査データの閲覧を申請する場合には、自身のクライアント識別子と閲覧申請者情報（閲覧申請者Ａの氏名、住所、職業および電話番号など）とをクライアント端末装置２０に入力する。
入力されたクライアント識別子および閲覧申請者情報は、クライアント端末装置２０から通信回線３０を介して火力環境調査データ閲覧サーバ１０に送信される（以上、ステップＳ１１）。
【００２１】
火力環境調査データ閲覧サーバ１０の閲覧許可部１１は、閲覧条件データベースから無料閲覧条件データを読み出したのち、送受信部１５を介して受信した閲覧申請者情報に基づいて、無料閲覧条件データによって表わされる無料閲覧条件（「地域住民であること」など）を閲覧申請者Ａが満たすか否かを調べる（ステップＳ１２）。
たとえば、閲覧許可部１１は、閲覧申請者情報に含まれている閲覧申請者Ａの住所に基づいて、無料閲覧条件の一つである「地域住民であること」を閲覧申請者Ａが満たしているか否かを調べる。
【００２２】
その結果、閲覧許可部１１は、閲覧申請者Ａが無料閲覧条件を満たしていることを確認すると、無料閲覧許可信号を生成して、生成した無料閲覧許可信号と閲覧申請者Ａのクライアント識別子とを閲覧識別子送信部１２に出力する（ステップＳ１３）。
【００２３】
閲覧識別子送信部１２は、この無料閲覧許可信号および閲覧申請者Ａのクライアント識別子が閲覧許可部１１から入力されると、閲覧申請者Ａ用の閲覧識別子と閲覧識別子入力画面データとを生成して、生成した閲覧識別子および閲覧識別子入力画面データを送受信部１５に通信回線３０を介して閲覧申請者Ａのクライアント端末装置２０に送信させる（ステップＳ１４）。
【００２４】
クライアント端末装置２０では、受信した閲覧識別子が表示されるとともに、受信した閲覧識別子入力画面データによって表される閲覧識別子入力画面が表示される。
閲覧申請者Ａは、クライアント端末装置２０に表示された閲覧識別子および閲覧識別子入力画面を参照して、この閲覧識別子をクライアント端末装置２０に入力する。この入力された閲覧識別子は、クライアント端末装置２０から通信回線３０を介して火力環境調査データ閲覧サーバ１０に送信される（以上、ステップＳ１５）。
【００２５】
火力環境調査データ閲覧サーバ１０のデータ送信部１３は、送受信部１５を介して閲覧識別子を受信すると、火力環境調査データを火力環境調査データベース１７から読み出したのち、読み出した火力環境調査データを送受信部１５に通信回線３０を介して閲覧申請者Ａのクライアント端末装置２０に送信させる（ステップＳ１６）。
【００２６】
クライアント端末装置２０では、受信した火力環境調査データが一定時間だけ表示される。これにより、閲覧申請者Ａは火力環境調査データを無料で閲覧することができる。
【００２７】
次に、地域住民を含む所定の者でない閲覧申請者Ｂが火力環境調査データの閲覧を申請する場合の火力環境調査データ閲覧システム１の動作について、図３に示すフローチャートを参照して説明する。
【００２８】
閲覧申請者Ｂは、火力環境調査データの閲覧を申請する場合には、自身のクライアント識別子と閲覧者申請情報（閲覧申請者Ｂの氏名、住所、職業および電話番号など）とをクライアント端末装置２０に入力する。
入力されたクライアント識別子および閲覧者申請情報は、クライアント端末装置２０から通信回線３０を介して火力環境調査データ閲覧サーバ１０に送信される（以上、ステップＳ２１）。
【００２９】
火力環境調査データ閲覧サーバ１０の閲覧許可部１１は、閲覧条件データベースから無料閲覧条件データを読み出したのち、送受信部１５を介して受信した閲覧申請者情報に基づいて、無料閲覧条件データによって表わされる無料閲覧条件（「地域住民であること」など）を閲覧申請者Ｂが満たすか否かを調べる（ステップＳ２２）。
たとえば、閲覧許可部１１は、閲覧申請者情報に含まれている閲覧申請者Ｂの住所に基づいて、無料閲覧条件の一つである「地域住民であること」を閲覧申請者Ｂが満たしているか否かを調べる。
【００３０】
その結果、閲覧許可部１１は、閲覧申請者Ｂが無料閲覧条件を満たしていないことを確認すると、有料閲覧許可信号を生成して、生成した有料閲覧許可信号と閲覧申請者Ｂのクライアント識別子とを閲覧識別子送信部１２および課金部１３に出力する（ステップＳ２３）。
【００３１】
閲覧識別子送信部１２は、この有料閲覧許可信号および閲覧申請者Ｂのクライアント識別子が閲覧許可部１１から入力されると、閲覧申請者Ｂ用の閲覧識別子と、「有料である」旨と手数料とを表示した閲覧識別子入力画面データとを生成して、生成した閲覧識別子および閲覧識別子入力画面データを送受信部１５に通信回線３０を介して閲覧申請者Ｂのクライアント端末装置２０に送信させる。
また、閲覧識別子送信部１２は、生成した閲覧識別子を有料閲覧許可信号と対応付けて課金部１４に出力する（以上、ステップＳ２４）。
【００３２】
クライアント端末装置２０では、受信した閲覧識別子が表示されるとともに、受信した閲覧識別子入力画面データによって表される「有料である」旨と手数料とを表示した閲覧識別子入力画面が表示される。
閲覧申請者Ｂは、クライアント端末装置２０に表示された閲覧識別子および閲覧識別子入力画面を参照して、この閲覧識別子をクライアント端末装置２０に入力する。この入力された閲覧識別子は、クライアント端末装置２０から通信回線３０を介して火力環境調査データ閲覧サーバ１０に送信される（以上、ステップＳ２５）。
【００３３】
火力環境調査データ閲覧サーバ１０のデータ送信部１３は、送受信部１５を介して閲覧識別子を受信すると、火力環境調査データを火力環境調査データベース１７から読み出したのち、読み出した火力環境調査データを送受信部１５に通信回線３０を介して閲覧申請者Ｂのクライアント端末装置２０に送信させる（ステップＳ２６）。
【００３４】
また、火力環境調査データ閲覧サーバ１０の課金部１４は、送受信部１５を介して閲覧識別子を受信すると、受信した閲覧識別子が閲覧識別子送信部１２から入力された有料閲覧許可信号と対応付けられた閲覧識別子であるか否かを調べる（ステップＳ２７）。
【００３５】
受信した閲覧識別子が有料閲覧許可信号と対応付けられた閲覧識別子である場合には、課金部１４は、閲覧許可部１１から入力された閲覧申請者Ｂのクライアント識別子に基づいて、課金データベース１８に格納されている課金テーブルを検索して、閲覧申請者Ｂに対する課金データを更新する（ステップＳ２８）。
【００３６】
クライアント端末装置２０では、受信した火力環境調査データが一定時間だけ表示される。これにより、閲覧申請者Ｂは火力環境調査データを有料で閲覧することができる。
【産業上の利用可能性】
【００３７】
以上説明したように、本発明の火力環境調査データ閲覧システムおよび火力環境調査データ閲覧方法は、地域住民を含む所定の者にのみ火力環境調査データ（火力発電所に関する環境調査データ）を自由に閲覧させるのに利用することができる。
【図面の簡単な説明】
【００３８】
【図１】本発明の一実施例による火力環境調査データ閲覧システムの構成を示す図である。
【図２】地域住民である閲覧申請者Ａが火力環境調査データの閲覧を申請する場合における図１に示した火力環境調査データ閲覧システム１の動作を説明するためのフローチャートである。
【図３】地域住民を含む所定の者でない閲覧申請者Ｂが火力環境調査データの閲覧を申請する場合における図１に示した火力環境調査データ閲覧システム１の動作を説明するためのフローチャートである。
【符号の説明】
【００３９】
１  火力環境調査データ閲覧システム
１０  火力環境調査データ閲覧サーバ
１１  閲覧許可部
１２  閲覧識別子送信部
１３  データ送信部
１４  課金部
１５  送受信部
１６  閲覧条件データベース
１７  火力環境データベース
１８  課金データベース
２０  クライアント端末装置
３０  通信回線
Ｓ１１〜Ｓ１６，Ｓ２１〜Ｓ２８  ステップ
【図１】
2007193583.tif 000003
【図２】
2007193583.tif 000004
【図３】
2007193583.tif 000005